(57)【要約】本発明は、切断された手足の基部のための支持スリーブ、すなわちライナーに関する。該ライナーは、切断された手足の基部をその末端部から囲み、弾性を有し、電気を絶縁する素材からなるスリーブ（１）を含んで構成される。該スリーブ（１）は、伝導性のある素材からなるレイヤー（２）を、少なくとも一部において周囲に備える。
2005528166.tif 000002
【特許請求の範囲】
【請求項１】
切断された手足の基部のための支持スリーブ、すなわちライナーであって、
切断された手足の基部をその末端部から囲み、弾性を有し、電気絶縁素材から形成されるスリーブ（１）から構成され、
該スリーブ（１）は、伝導性のある素材で形成されたレイヤー（２）を、少なくとも一部に有するライナー。
【請求項２】
電気伝導性のあるレイヤーが、スリーブ（１）の外部に配置されている請求項１記載のライナー。
【請求項３】
レイヤーが、弾性を有し、織物素材あるいは合成樹脂で伝導性を有するように構成される請求項２記載のライナー。
【請求項４】
レイヤーが、弾性素材によって囲まれた電気伝導性のある素材のマトリックスである請求項１記載のライナー。
【請求項５】
マトリックスが、整然と、又は無秩序に配列された伝導性のある素材の糸から構成される請求項４記載のライナー。
【請求項６】
伝導性領域（５）が、切断された手足の基部と伝導性のある素材のレイヤーとの間に配置される請求項１乃至５のいずれかに記載のライナー。
【請求項７】
伝導性領域が、切断された手足の基部の末端部に配置される請求項６記載のライナー。
【請求項８】
ライナーが、その末端部でライナーカップ（３）を有する請求項１乃至７のいずれかに記載のライナー。
【請求項９】
ライナーカップ（３）が、電気伝導性のある素材から構成される、あるいはそのようなものを装備する請求項８記載のライナー。
【請求項１０】
ライナーカップ（３）が、電気伝導性のある素材のレイヤーと接触している請求項９記載のライナー。
【請求項１１】
電気的領域が、切断された手足の基部とライナーカップ及び／又はピンアダプターとの間に配置される請求項７乃至１０のいずれかに記載のライナー。
【請求項１２】
１０5オーム未満の電気抵抗が、切断された手足の基部と伝導性領域との間に存在する請求項６乃至１１のいずれかに記載のライナー。
【請求項１３】
ライナーカップと人工的補欠物のシャフトとの間に係止手段が存在し、該係止手段が、電気伝導性を有するもの、あるいは電気を絶縁するものとして形成される請求項８乃至１２のいずれかに記載のライナー。
【発明の詳細な説明】
【技術分野】
【０００１】
本発明は、切断された手足の基部のための支持スリーブ、すなわちライナー（LINER）に関する。
【背景技術】
【０００２】
義足や義手等の人工的補欠物のためのライナーが知られているが、これらのライナーは、切断された手足の基部を、その末端部から囲み、弾性を有し、シリコンやポリウレタン等の電気絶縁素材で作られたスリーブから構成されている（国際公開公報WO88/00032号、国際公開公報WO98/499977号、ＥＰＯ特許公開公報EP0976371号）。
【０００３】
このようなライナーは、切断された手足の基部と人工的補欠物のシャフトとの間の衝撃を和らげる接続として用いられるとともに、手術後の治癒段階において、熱・腫れをひかせたり成形したりする効果を持たせるためにも用いられる。
【０００４】
さらに、切断の後にいわゆる幻覚的な痛みが生じ、その痛みが、例えば電気伝導性のある織物素材によって、切断された手足を電磁気的に覆うことで明確に影響を受けることが知られている（米国特許第4,656,473号）。
【発明の開示】
【発明が解決しようとする課題】
【０００５】
本発明は、ライナーの必要な特性を失うことなく、切断された手足の基部の痛みを軽減する効果を有するライナーを提供することを目的としている。
【課題を解決するための手段】
【０００６】
この目的は、請求項１の部分で述べることにより達成される。本発明の応用や有利な実施例は、請求項２以下に含まれている。
【０００７】
本発明によれば、切断された手足の基部のための支持スリーブ、すなわちライナーは、切断された手足の基部を、その末端部から囲むスリーブからなり、弾性を有し、電気絶縁素材から形成され、該スリーブは、少なくとも部分的に、その周りを囲む伝導性のあるレイヤーを有することを特徴とする。
【発明を実施するための最良の形態】
【０００８】
本発明の第１の実施例によれば、電気伝導性のあるレイヤーは、スリーブ外側に配置されて、弾性を有し、伝導性を備える織物素材あるいは合成樹脂で形成されるレイヤーから構成される。
【０００９】
例えば、それは金属を気化させた素材から構成することができる。さらに、例えば、合成樹脂を接着剤として用いることができる。
【００１０】
本発明の第２の実施例によれば、レイヤーは、ライナーの末端部から始まり、電気伝導性のある素材で形成される、織物の機械的な補強材（マトリックス）であり、該マトリックスは、例えば、伝導性のある素材で形成され、整然と配列処理された糸、又は無秩序状態の糸から構成される。
【００１１】
本発明の特に有利な実施例によれば、伝導性領域は、切断された手足の基部と伝導性のある素材のレイヤーとの間に配置され、伝導性領域は、好ましくは切断された手足の基部の末端部に配置される。
【００１２】
本発明の他の好ましい実施例によれば、ライナーは、その末端部において、ライナーカップを有し、必要により、人工的補欠物との接続のためにピンアダプターを有し、ライナーカップ及び／又はピンアダプターは、電気伝導性のある素材から成り、あるいはそのようなものを装備する。
【００１３】
ライナーカップ及び／又はピンアダプターは、電気伝導性のある素材のレイヤーと接触し、伝導性領域は、切断された手足の基部とライナーカップ及び／又はピンアダプターとの間に配置される。
【００１４】
ライナーが、手術後の処置のためだけに用いられるのであれば、ライナーカップ及びピンアダプターは省略可能である。
【００１５】
切断された手足の基部と伝導性領域との間には、１０5オーム未満の電気抵抗が存在することが好ましい。
【００１６】
本発明を、図面を用いた例によって、さらに詳細に説明する。
図１は、電気的に絶縁されたシリコン素材からなり、切断された足の基部を受けるライナー（１）を示している。
【００１７】
ライナー（１）は、織物素材からなるカバー（６）とともに提供される。金属糸等の電気伝導性のある素材からなるレイヤー（２）は、ライナー（１）に埋設されている。
ライナーの末端部には、下方の義足との接続のためのピンアダプター（４）が位置している。ライナー（１）は、いわゆるライナーカップ（３）によって下方から支持される。このような構造は、例えば、ドイツ特許公開公報DE10012929号によって知られているものである。
【００１８】
ピンアダプター（４）とライナーカップ（３）は、金属で構成され、電気伝導性を備える。ライナーカップ（３）は、電気伝導性のある素材の、併合されたマトリックス（２）と接触している。切断された手足の基部の末端部との電気伝導性のある接触を生み出すために、伝導性領域（５）は、ピンアダプター（４）の上方に配置されている。伝導性領域（５）は、例えば、電気伝導性を有するように形成されたエラストマー素材（伝導性のある炭素を含み、気化させた金属）のフェルトから構成され、あるいは黒鉛、金属等の糸を通して電気伝導性を有し、ライナーとは実質的に同じ素材の硬さを有している。
【図面の簡単な説明】
【００１９】
【図１】本発明に係るライナーを示す図である。
【図１】
2005528166.tif 000003
【国際調査報告】
2005528166.tif 000004
2005528166.tif 000005
2005528166.tif 000006
2005528166.tif 000007
2005528166.tif 000008
2005528166.tif 000009